(57)【要約】【課題】地上波放送や衛星放送などにおいて、映像及び音響とから構成される番組を放送する際、流動的に変動する放送内容、放送時刻に追随して、放送内容の演出効果を高めることができる。【解決手段】映像及び音響とから構成される番組を放送する放送番組演出システムであって、番組の演出内容、及びその演出のタイミングを記述した演出情報データを入力する配信タイミング設定部３０６と、演出情報データに記述された演出のタイミングに応じて、演出内容に基づいた配信情報を含む電子メールを送信するメール配信部３１０と、コンテンツ送出部３３１によって送出される番組のコンテンツデータの内容、又は送出時刻の変更をイベント発生として検出するイベント検出部と、イベント検出部３０３が検出したイベントに応じて、スケジューリング部３０４が設定したタイミングを変更するスケジュール変更部３０３ａとを備える。【選択図】  図１
2010050630.tif 000002
【特許請求の範囲】
【請求項１】
映像及び音響とから構成される番組放送の演出をする放送番組演出システムであって、
前記番組の演出内容、及びその演出のタイミングを記述した演出情報データを入力する入力部と、
前記演出情報データに記述された演出のタイミングに応じて、電子メールを配信するタイミングをスケジューリングするスケジューリング部と、
前記スケジューリングに基づいて前記電子メールを送信するメール配信部と、
前記送出装置によって送出される番組のコンテンツデータの内容、又は送出時刻の変更をイベント発生として検出するイベント検出部と、
前記イベント検出部が検出したイベントに応じて、前記スケジューリング部が設定した前記タイミングを変更するスケジュール変更部と
を備えることを特徴とする放送番組演出システム。
【請求項２】
前記演出情報データには、前記番組に係るコンテンツデータに挿入されるＣＭコンテンツデータの時間長及び挿入のタイミングが含まれており、
前記スケジューリング部は、前記演出情報データに含まれる演出のタイミングと、前記ＣＭコンテンツデータの挿入タイミング及びその時間長とに基づいて、前記電子メールを配信するタイミングを設定する
ことを特徴とする請求項１に記載の放送番組演出システム。
【請求項３】
前記番組の放送予定を一覧表示した番組表を、通信ネットワーク上に配信する番組表配信部をさらに備え、
前記イベント検出部は、
前記番組表を前記番組表配信部から前記通信ネットワーク経由で取得し、
取得した番組表の内容変更を解析することによって、前記イベント発生を検出する
ことを特徴とする請求項１に記載の放送番組演出システム。
【請求項４】
前記電子メールの配信先である視聴者に関する視聴者情報を蓄積する視聴者情報蓄積部をさらに備え、
前記視聴者情報には、前記演出内容のレベルを設定する演出レベル情報が含まれ、
前記メール配信部は、前記視聴者が設定した前記演出のレベルに応じた内容の電子メールを、該演出のレベルに応じたタイミングで配信する機能を有する
ことを特徴とする請求項１に記載の放送番組演出システム。
【請求項５】
映像及び音響とから構成される番組放送の演出をする放送番組演出方法であって、
前記番組の演出内容、及びその演出のタイミングを記述した演出情報データを入力部を通じて入力し、
前記演出情報データに記述された演出のタイミングに応じて、電子メールを配信するタイミングをスケジューリング部によりスケジューリングし、
前記送出装置によって送出される番組のコンテンツデータの内容、又は送出時刻の変更をイベント検出部により、イベント発生として検出し、
前記イベント検出部が検出したイベントに応じて、スケジュール変更部により、前記スケジューリング部が設定した前記タイミングを変更し、
前記スケジューリング部又はスケジュール変更部により設定されたタイミングに基づいて前記電子メールを送信する
ことを特徴とする放送番組演出方法。
【発明の詳細な説明】
【技術分野】
【０００１】
本発明は、例えば、テレビの地上波放送や衛星放送などにおいて、映像及び音響とから構成される番組の放送に際し、番組の演出効果を高めることのできる放送番組演出システム及び放送番組演出方法に関する。
【背景技術】
【０００２】
近年、テレビの地上波放送や衛星放送では、デジタル放送が主流になりつつあり、このデジタル放送では、複数のチャンネルを介して映像や音響の他、文字データ等のコンテンツを組み合わせて多様な番組を提供することができる。
【０００３】
また、近年では、電子メールも普及してきており、例えば、特許文献１に開示されているように、電子メールにて番組の宣伝を行う方法も提案されている。この特許文献１に開示された技術では、例えば、ドラマのストーリー展開を、次回の放送日前に視聴者に配信することによって、ドラマの放送時間以外でも視聴者に自然な形でストーリーを伝えることができる。
【特許文献１】特開２００４−１２７２２６号公報
【発明の開示】
【発明が解決しようとする課題】
【０００４】
しかしながら、上述した特許文献１に開示された技術では、メールの配信をデータベースに登録された内容と時期で行うものであるが、番組の放送内容及び放送時間は流動的なものであるため、単に予めデータベースに登録した内容や時期に配信したのみでは、適切な演出効果を得られないという問題がある。
【０００５】
そこで、本発明は以上の点に鑑みてなされたもので、地上波放送や衛星放送などにおいて、映像及び音響とから構成される番組を放送する際、流動的に変動する放送内容、放送時刻に追随して、放送内容の演出効果を高めることのできる放送番組演出システム及び放送番組演出方法を提供することをその課題とする。
【課題を解決するための手段】
【０００６】
上記課題を解決するために、本発明は、映像及び音響とから構成される番組を放送する放送番組演出システム及び放送番組演出方法であって、番組の演出内容、及びその演出のタイミングを記述した演出情報データを入力する入力部と、演出情報データに記述された演出のタイミングに応じて、演出内容に基づいた配信情報を含む電子メールを送信するメール配信部と、送出装置によって送出される番組のコンテンツデータの内容、又は送出時刻の変更をイベント発生として検出するイベント検出部と、イベント検出部が検出したイベントに応じて、スケジューリングが設定したタイミングを変更するスケジュール変更部とを備える。
【０００７】
そして、このような本発明では、
前記番組の演出内容、及びその演出のタイミングを記述した演出情報データを入力部を通じて入力し、
前記演出情報データに記述された演出のタイミングに応じて、電子メールを配信するタイミングをスケジューリング部によりスケジューリングし、
前記送出装置によって送出される番組のコンテンツデータの内容、又は送出時刻の変更をイベント検出部により、イベント発生として検出し、
前記イベント検出部が検出したイベントに応じて、スケジュール変更部により、前記スケジューリング部が設定した前記タイミングを変更し、
前記スケジューリング部又はスケジュール変更部により設定されたタイミングに基づいて前記電子メールを送信する。
【０００８】
このような本発明によれば、番組の進行に合わせて、その演出の内容及びタイミングに応じた電子メールを配信することにより、番組の演出効果を高めることができる。このとき、本発明では、例えば、野球中継の延長や、臨時ニュースの割り込みなど放送内容や放送時刻に変動があった場合に、その変動をイベント発生として、予定されていたスケジュールを変更し、演出のためのメール送信を、番組の変動に追従させることができる。
【０００９】
上記発明において、演出情報データには、番組に係るコンテンツデータに挿入されるＣＭコンテンツデータの時間長及び挿入のタイミングが含まれており、メール配信部には、電子メールを配信するタイミングを設定するスケジューリング部が接続されており、スケジューリング部は、演出情報データに含まれる演出のタイミングと、ＣＭコンテンツデータの挿入タイミング及びその時間長とに基づいて、電子メールを配信するタイミングを設定することが好ましい。
【００１０】
この場合には、番組の演出のためのタイミングを番組本編のみの進行に合わせて設定し、後からＣＭが挿入されるタイミングやその時間長が決定されるような場合でも、演出のためのタイミング決定（スケジュール）をやり直す必要がない。
【００１１】
上記発明において、番組の放送予定を一覧表示した番組表を、通信ネットワーク上に配信する番組表配信部をさらに備え、イベント検出部は、番組表を番組表配信部から通信ネットワーク経由で取得し、取得した番組表の内容変更を解析することによって、イベント発生を検出することが好ましい。
【００１２】
この場合には、番組予定が変更されたのを、インターネット等の通信網を通じて配信される番組表から検出することができ、イベント発生を検出するために特別なインフラを構築する必要がなく、本発明を低コストで実施することができる。
【００１３】
上記発明において、電子メールの配信先である視聴者に関する視聴者情報を蓄積する視聴者情報蓄積部をさらに備え、顧客情報には、演出内容のレベルを設定する演出レベル情報が含まれ、メール配信部は、視聴者が設定した演出のレベルに応じた内容の電子メールを、演出のレベルに応じたタイミングで配信する機能を有することが好ましい。
【００１４】
この場合には、例えば、ドラマの展開に合わせて、ドラマの内容に連動した電子メールを配信するような場合に、視聴者が、その電子メールによる先行情報によって先取り的な演出効果を望むのか、詳細すぎる情報によるいわゆる「ネタバレ」を嫌ってメール配信の遅延を望むのか、といったような演出レベルを視聴者毎に設定することができる。これにより、視聴者の嗜好を反映させた演出効果を期待することができる。
【発明の効果】
【００１５】
以上説明したように本発明によれば、地上波放送や衛星放送などにおいて、映像及び音響とから構成される番組を放送する際、流動的に変動する放送内容、放送時刻に追随して、放送内容の演出効果を高めることができる。
【発明を実施するための最良の形態】
【００１６】
（放送番組演出システムの全体構成）
本発明の実施形態について、図面を参照しつつ説明する。図１は、本実施形態に係る放送番組演出システム全体の概略構成を示す説明図である。
【００１７】
図１に示すように、本実施形態に係る放送番組演出システムは、テレビの地上波放送２２や衛星放送２１、ケーブル放送２３などにおいて、映像及び音響とから構成されるテレビ番組を放送する仕組みであり、テレビ番組を放送する一般的な放送局３ｂ内のシステムと連動して、演出処理を行うコンテンツサーバ３ａと、番組表などを含む番組情報を配信するＷｅｂサーバ４ａとを備えている。
【００１８】
視聴者１が利用するテレビ受像器１２は、テレビジョン放送の電波を受信し、映像と音響を出力するための受信機であり、前記地上波放送２２や衛星放送２１、ケーブル放送２３が受信可能となっている。本実施形態では、視聴者１は、このテレビ受像器１２によりテレビ番組を視聴することができる。また、本実施形態において、視聴者１は、携帯電話機１１を利用することができ、データ通信機能によって、インターネット２５を通じて、当該携帯電話機１１当ての電子メールを受信することができる。
【００１９】
放送局３ｂは、放送を行う施設であり、放送番組をプログラム（番組表）に沿って電気信号として順次出力する演奏所と、それを電波として送出する送信所の２つの施設から構成されている。本実施形態では、テレビ番組や、番組本編に挿入されるＣＭを構成するコンテンツデータをデジタル信号として送出する。
【００２０】
コンテンツサーバ３ａ及びＷｅｂサーバ４ａは、ＷＷＷ（World Wide Web）等のドキュメントシステムにおいて、ＨＴＭＬ（HyperText Markup Language）ファイルや画像ファイル、音楽ファイルなどの情報送信を行うサーバコンピュータ或いはその機能を持ったソフトウェアであり、ＨＴＭＬ文書や画像などの情報を蓄積しておき、Ｗｅｂブラウザなどのクライアントソフトウェアの要求に応じて、インターネット２５などのＩＰ網を通じて、これらの情報を送信する。
【００２１】
また、コンテンツサーバ３ａは、メールサーバ機能を備えており、インターネット２５を通じて、電子メールを配信することができる。このメールサーバ機能は、インターネット２５上に常に接続され、ネットワーク内のユーザーの電子メールの送信や受信を行うサーバコンピュータによって構成され、具体的には、他ネットワークのユーザーに電子メールを送信するＳＭＴＰサーバ機能と、自ネットワーク内のユーザーあてに送られてきた電子メールを保管し、ユーザーからの受信要求に対応するＰＯＰ３サーバ機能やＩＭＡＰ４サーバ機能などで構成されている。
【００２２】
図２は、上述した各サーバ及び放送局における、放送番組演出システムに関する構成を模式的に示すブロック図である。なお、説明中で用いられる「モジュール」とは、装置や機器等のハードウェア、或いはその機能を持ったソフトウェア、又はこれらの組み合わせなどによって構成され、所定の動作を達成するための機能単位を示す。
【００２３】
具体的に、コンテンツサーバ３ａは、演出処理系のモジュール群と、イベント処理系のモジュール群と、メール配信系のモジュール群とを備えている。  コンテンツサーバ３ａの演出処理系のモジュールとしては、スケジューリング部３０４と、ＣＭ挿入設定部３０５と、配信タイミング設定部３０６は、本編進行管理部３０７とを備えている。
【００２４】
スケジューリング部３０４は、演出情報データに記述された演出のタイミングに応じて、電子メールを配信するタイミングをスケジューリングするモジュールである。このスケジューリング部３０４は、演出情報データに含まれる演出のタイミングと、ＣＭコンテンツデータの挿入タイミング及びその時間長とに基づいて、電子メールを配信するタイミングを設定する。
【００２５】
ここで、演出情報データは、ドラマやクイズなど番組において、その構成中における演出の本編中における開始時間、終了時間、その演出毎の内容、演出レベルを記述したデータであり、番組制作時或いは制作後に、制作会社により作成され、提供される。そして、この演出情報データには、演出に合わせて電子メールを配信するタイミング及びその内容が含まれているとともに、必要に応じて番組中に挿入されるＣＭコンテンツデータの時間長及び挿入のタイミングが含まれている。
【００２６】
ＣＭ挿入設定部３０５は、本編のタイムテーブルに対してＣＭが挿入されるタイミングを入力して設定するモジュールである。このＣＭ挿入設定部３０５における入力は、例えば、ユーザー操作による入力デバイスを通じての入力や、上述した演出情報データを自動的に受信し、内容を解析し、必要事項を抽出して入力するようにしてもよい。
【００２７】
配信タイミング設定部３０６は、演出情報データに基づいて、番組の演出タイミングを取得し、電子メールの内容、及び配信タイミングを設定するモジュールである。なお、この電子メールの内容、及び配信のタイミングの設定は、ユーザー操作による入力デバイスを通じての入力によって行ってもよい。この配信タイミング設定部３０６に対するタイミングの条件設定としては、例えば、ＣＭを除いた本編部分のみの進行時間について「本編開始○○分後」としてもよく、また、ＣＭを含む進行時間について「番組放送開始○○分後」としてもよく、ＣＭの挿入に対して「ＣＭ挿入後○○分後」としてもよい。
【００２８】
本編進行管理部３０７は、演出情報データに基づいて、ＣＭ部分を除く本編部分のタイムテーブルを管理するモジュールである。例えば、ドラマであれば、何時何分にオープニングが始まり、何時何分に本編が終了し、何時何分にエンディングや予告が終了するかなどを管理する。特に、野球中継や臨時ニュースなどのように流動的な番組について、本編部分の進行を、番組の流動に追従させてそのタイムテーブルを管理する。
【００２９】
コンテンツサーバ３ａのイベント処理系のモジュールとしては、番組情報取得部３０１と、時計部３０２と、イベント検出部３０３とを備えている。
【００３０】
番組情報取得部３０１は、実際に放送されている放送番組の内容、及びその変化を取得するモジュールであり、本実施形態では、インターネット２５を通じて、番組表を配信しているＷｅｂページを巡回し、Ｗｅｂページに掲載されている番組表などから情報を取得する。時計部３０２は、番組情報取得部３０１によるＷｅｂページの巡回を周期的に行わせるタイマー装置である。番組情報取得部３０１は、この時計部３０２からのトリガー信号に応じて、各Ｗｅｂページの巡回を開始する。
【００３１】
イベント検出部３０３は、放送局３ｂによって放送されている番組のコンテンツデータの内容、又は送出時刻の変更をイベント発生として検出するモジュールであり、イベント検出部が検出したイベントに応じて、スケジューリングが設定したタイミングを変更するスケジュール変更部３０３ａを有する。具体的にこのイベント検出部３０３は、本実施形態では、番組情報取得部３０１がインターネット２５上を巡回して収集した各放送局のテレビ番組表を解析し、放送内容を取得するとともに、その放送内容の変更を検出する。この放送内容変更の検出は、前回取得した番組表と、最新の番組表とを比較し、その内容や放送時刻の変化を解析することにより行う。
【００３２】
コンテンツサーバ３ａのメール配信系のモジュールとしては、メール配信部３１０と、メール生成部３１１と、配信情報選択部３１２と、付加情報生成部３０８と、広告情報選択部３０９と、視聴者情報データベース３２０と、配信情報データベース３２１とを備えている。
【００３３】
メール配信部３１０は、演出情報データに記述された演出のタイミングに応じて、演出内容に基づいた配信情報を含む電子メールを送信するモジュールであり、本実施形態では、スケジューリング部３０４から制御信号をトリガーとして、メール生成部３１１が生成した文字情報や画像情報を電子メールとして、所定の送信先に一斉配信する。なお、本実施形態では、各電子メールは、各視聴者が希望する演出レベルに応じたタイミングで配信されるため、各電子メールは、同じタイミング（演出レベル）毎にグループ分けされ、スケジューリング部３０４のトリガーに応じて、グルーピングされた演出レベル毎に一斉配信される。
【００３４】
メール生成部３１１は、メール配信部３１０が配信するメールを生成するモジュールであり、配信情報選択部３１２が選択したメール文章や画像データをメールデータに記述又は添付するとともに、付加情報生成部３０８が生成した付加情報も電子メールに追加する。この付加情報としては、広告情報やニュースや、サービスのアナウンスなどが考えられる。また、メール生成部３１１は、視聴者情報を配信情報選択部３１２経由で配信情報データベース３２１から呼び出し、各電子メールの配信先として設定する。この配信先は、視聴者情報において配信内容であるメール文書情報や、配信タイミングと関連づけられており、視聴者毎に異なったメールの内容及びタイミングで配信することができる。
【００３５】
配信情報選択部３１２は、視聴者毎に異なる文章や画像データなどを選択してメール生成部３１１に出力するモジュールである。具体的には、視聴者情報データベース３２０を参照して、視聴者が希望している演出のレベルや、年齢、性別、住所等の個人情報に基づいて配信すべきメールの文章や、添付する画像データ、及び当該電子メールの配信タイミングを読み出して、各電子メールに設定する。
【００３６】
広告情報選択部３０９は、付加情報生成部３０８によって電子メールに付加されるべき広告情報を選択するモジュールである。この広告情報は、視聴者情報データベース３２０に含まれる個人情報（年齢、性別、職業、住所など）に応じて、その視聴者の属性に合った適切な広告情報を選択し、付加情報生成部３０８に出力する。付加情報生成部３０８は、この広告情報選択部３０９が選択した広告情報を電子メールに添付してメール生成部３１１に送出する。
【００３７】
視聴者情報データベース３２０は、電子メールの配信先である視聴者に関する視聴者情報を蓄積するデータベース装置であり、各視聴者の個人情報（年齢、性別、職業、住所など）の他、各番組に対する演出レベルの設定情報を蓄積する。このデータベースの情報は、例えば、各視聴者の携帯電話端末等からのアクセスを受け付け、Ｗｅｂページや携帯電話サイトからの手続により登録することができる。この視聴者情報の例を図５に示す。この図５に示した例では、ユーザーＩＤ（UID）で特定された視聴者（年齢３０歳、男性、東京都在住）のレコードから、対象番組毎に設定された演出レベルのテーブルに対してリレーションが設定されており、任意の番組（「ドラマＡ」等の番組名）や番組の属性（「クイズ番組全般」等のカテゴリー名）について個別に演出レベルが設定可能となっている。メール配信部３１０は、視聴者が設定した演出のレベルに応じた内容の電子メールを、演出のレベルに応じたタイミングで配信する。
【００３８】
配信情報データベース３２１は、電子メールに記載する文章テキストデータや、添付する画像データなどを蓄積するデータベース装置である。この配信情報データベース３２１に蓄積される配信情報は、制作会社から提供され、配信情報選択部３１２によって読み出せるように、配信情報に情報ＩＤが付与されている。
【００３９】
一方、Ｗｅｂサーバ４ａは、番組表を、インターネット２５を通じて配信するためのモジュールとして、番組表配信部４０４と、番組情報入力部４０１と、番組表生成部４０２と、番組表更新部４０３と、イベント発生応答部４０５とを備えている。
【００４０】
番組表配信部４０４は、上記発明において、番組の放送予定を一覧表示した番組表を、通信ネットワーク上に配信するＷｅｂ接続モジュールである。この番組表の配信は、例えばＨＴＴＰ等のプロトコルによりＨＴＭＬを配信することによって実現される。番組情報入力部４０１は、放送局３ｂから通知される番組放送予定や、予定変更を受信し、番組表生成部４０２に入力するモジュールである。
【００４１】
この番組情報の入力については、所定のフォーマットで記述された電子データを読み込ませて解析させるか、或いは入力デバイスを介してユーザー操作によって行ってもよい。番組表生成部４０２は、本実施形態では、上述した放送予定をＨＴＭＬ等によるテーブル形式の一覧表を生成し、番組表配信部４０４に出力する。このとき、野球放送の延長など予測が可能な番組の変更があるときは、変更後の番組表を予め生成するようにし、イベント発生の際に番組表更新部４０３によって差し替えるようにしてもよい。番組表更新部４０３は、野球放送の延長や、臨時ニュース等の割り込みなど、番組の予定表に変更を加えるモジュールである。
【００４２】
イベント発生応答部４０５は、外部からの連絡に応じて、前記各部４０１〜４０４に対する例外処理の実行を指示するモジュールである。このイベント発生応答部４０５からの指示に応じて、番組表更新部４０３は、番組表生成部４０２における番組表の作り替えを実行させ、番組表配信部４０４は、更新された番組表を配信する。
【００４３】
他方、放送局３ｂの放送施設は、コンテンツ送出部３３１と、コンテンツ管理部３３２と、コンテンツ蓄積部３３３と、ＣＭ挿入部３３４とを備えている。コンテンツ送出部３３１は、番組に関するコンテンツデータを送出するモジュールであり、コンテンツ管理部３３２の制御により、所定のタイミングでＣＭを挿入しつつ、コンテンツを配信する。ＣＭ挿入部３３４は、コンテンツ管理部３３２による制御に基づいて、ＣＭコンテンツデータを、番組に係るコンテンツデータに挿入するモジュールである。
【００４４】
（演出レベルの設定）
ここで、上述した演出レベルの設定例について説明する。なお、ここでは、テレビ番組としてドラマを放送する場合を例に説明する。
【００４５】
ドラマの演出の手法として、ストーリー内に秘密や疑問などの不明点を織り込むものがあり、この秘密や疑問などが徐々に解消されるように展開させることで、視聴者を引き込むようにする。しかしながら、この不明点はその程度によっては、視聴者に登場人物に対する共感を抱かせる効果も期待できる反面、視聴者によっては、不快に感じる場合もある。また、ドラマを途中から視聴した者にとっては、何が不明なのか理解できない場合もある。
【００４６】
そこで、本システムでは、視聴者が選択した演出レベルで、上記不明点の種類に応じて、メールで明らかになるレベルを段階的に区分する。ここで、不明点の種類としては、
(1)視聴者に対して秘密となっている
(2)特定の登場人物（例えば主人公）に対して秘密となっている
(3)特定の登場人物（例えば主人公）以外の登場人物に対して秘密となっている
(4)これらの組み合わせ
が考えられる。
【００４７】
(1)であれば、視聴者によっては、犯人を捜す推理ドラマであっても、始から犯人を知ってしまいたいというニーズもあり、この場合には、「ネタバレ」の同意を得て、ストーリーの結末を配信してもよい。また、ドラマを途中から視聴した者であっても、そのまま秘密の状態とすればよいが、途中からの視聴なのでなぜ不明なのか（そのようなストーリーなのか？途中から視たからなのか？）を伝える必要がある。
【００４８】
(2)及び(3)については、視聴者には秘密が明らかにされているのでメールによる「ネタバレ」の惧れはないが、主人公に共感が抱けるよう、秘密や疑問、主人公の行動の目的を視聴者に理解させる必要があり、主人公がたの登場人物に送るメールと同一内容のメールを、解説付きで視聴者に送るようにしてもよい。
【００４９】
図６に、演出レベルの違いによるメールの内容及びタイミングの設定例を示す。本実施形態におけるデフォルトの設定としては、図６（ａ）に示すように、ドラマの演出シーンＳ１及びＳ２のシーン冒頭のタイミングＴ１及びＴ２で、メール１及びメール２がそれぞれ配信されるように設定される。具体的には、ドラマの登場人物がメールを受信するシーン（演出シーンＳ１）で、ドラマ内でメールが受信されると同時に、視聴者にもメールが届くように設定する。そのとき、ドラマの画面内では、メールの導入部が映されるが、視聴者にはその全文が届くようにする。
【００５０】
また、この演出シーンＳ１に対するメールの配信内容及びタイミングとしては、図６（ｂ）に示すような演出レベルを選択することが可能であり、例えば、ドラマの登場人物が受信したのと同じ内容のメール１−１がタイミングＴ１で視聴者にも届き、演出シーンＳ１の終わり（タイミングＴ１１）に、改めてメール１−１の全文（メール１−２）が視聴者に届くようにしてもよい。この場合には、いわゆる「ネタバレ」を回避して、ドラマの登場人物と同様の臨場感を視聴者に与えることができるとともに、演出シーンが終わった後、ゆっくりメールの全文を読むことによって、ストーリーに対する理解を深めることができる。
【００５１】
他の演出の例としては、例えばドラマの主人公が建物内で迷っているシーン（演出シーンＳ２）で、演出レベルに応じて、メールに添付する地図情報（画像データ）を変更する。具体的には、その建物内全体の地図か、部分的な地図かを選択する。例えば、図６（ａ）に示すように、ドラマの登場人物が建物内で迷って、ある扉の前まで来たとき（演出シーンＳ２）に、そのタイミングＴ２で、扉の向こう側を含む建物の全体地図を視聴者にもメールが届くように設定する。また、この演出シーンＳ２に対する他の演出レベルによるメールの配信内容及びタイミングとしては、図６（ｂ）に示すように、建物内の扉の向こうが分からない部分的な地図データが添付されたメール２−１がタイミングＴ２−１で視聴者に届き、演出シーンＳ２の終わり（タイミングＴ２１）に、改めてメール２−１で全体地図（メール２−２）が視聴者に届くようにしてもよい。
【００５２】
他の番組の応用例として、例えば、図７に示すように、クイズ番組において、ヒントや正解の詳細説明を、視聴者が設定した演出レベルに応じて切り換えるようにしてもよい。図７（ａ）では、クイズの出題中（シーンＳ３及びＳ４）のシーン冒頭（タイミングＴ３及びＴ４）に、出題中の問題のヒントのみをメールで配信するか、若しくは、正解発表後（タイミングＴ３１及びＴ４１）に、正解の詳細説明を配信するようにしてもよい。
【００５３】
さらに、他の番組の応用例としては、スポーツ中継や、報道番組のライブ中継などで、現地のレポーターからのメールを視聴者に配信したり、臨時ニュースなども、画面中に流れるテロップと同時に配信するようにしてもよい。この場合には、視聴者が他のチャンネルを視聴しているときに、その視聴者を、本システムを採用しているチャンネルに呼び寄せることができる。
【００５４】
（放送番組演出方法）
以上の構成を有する放送番組演出システムを動作させることによって、本発明の方法を実施することができる。
【００５５】
（１）スケジューリング処理
先ず、制作会社によりドラマが制作され、図２に示すように、番組コンテンツデータとして放送局のコンテンツ蓄積部３３３に格納される。また、制作会社は、ドラマの制作に際し、電子メールの配信によって演出効果を高めたい箇所などを指摘した演出情報データをＣＭ挿入設定部３０５，配信タイミング設定部３０６，本編進行管理部３０７に送信するとともに、各演出タイミングで配信すべき電子メールの文章及び添付データを配信情報として配信情報データベース３２１に格納する。
【００５６】
そして、コンテンツサーバ３ａでは、演出情報データに基づいて、各条件を設定して、電子メール配信のタイミングをスケジューリングする。図３は、各条件の設定から電子メール配信のタイミングをスケジューリングする処理の概要を示す説明図である。
【００５７】
図３に示すように、ＣＭ挿入設定部３０５に対し、本編のタイムテーブルにＣＭが挿入されるタイミングを入力して設定する。この設定の入力は、例えば、上述した演出情報データを受信し、受信したデータの内容を解析し、必要事項を抽出して自動的に入力することもでき、また、ユーザー操作による入力デバイスを通じての手動にて入力してもよい。
【００５８】
また、配信タイミング設定部３０６に対し、演出情報データに基づいて、番組の演出タイミングを入力し、電子メールの配信タイミングＴ１及びＴ２等を設定し、図６（ａ）に示すように、各演出シーンＳ１及びＳ２に対し、各タイミングで配信される電子メールの内容（メール１やメール２など）を設定する。なお、この電子メールの内容、及び配信のタイミングの設定も、演出情報データを解析することによって自動的に入力するようにしてもよいし、ユーザー操作によって、入力デバイスを通じて入力してもよい。この配信タイミング設定部３０６に対するタイミングの条件設定としては、例えば、ＣＭを除いた本編部分のみの進行時間について「本編開始○○分後」としてもよく、また、ＣＭを含む進行時間について「番組放送開始○○分後」としてもよく、ＣＭの挿入に対して「ＣＭ挿入後○○分後」とすることができる。
【００５９】
さらに、本編進行管理部３０７に対し、演出情報データに基づいて、ＣＭ部分を除く本編部分のタイムテーブルを入力する。例えば、ドラマであれば、何時何分にオープニングが始まり、何時何分に本編が終了し、何時何分にエンディングや予告が終了するかなどを設定する。このとき、野球中継や臨時ニュースなどのように流動的な番組については、本編部分の進行において可変的な部分を特定できるように、そのタイムテーブルを作成し、保持させる。
【００６０】
次いで、スケジューリング部３０４により、演出情報データに記述された演出のタイミングに応じて、電子メールを配信するタイミングをスケジューリングする。このスケジューリング部３０４は、図３に示すように、演出情報データに含まれる演出のタイミングと、ＣＭコンテンツデータの挿入タイミング及びその時間長とに基づいて、電子メールを配信するタイミングＴ１やＴ２を設定する。
【００６１】
（２）放送時演出処理
上述したスケジューリング処理に従って、テレビ放送中に演出処理を実行する。すなわち放送局３ｂの放送施設において、コンテンツ送出部３３１は、コンテンツ管理部３３２の制御により、所定のタイミングでＣＭを挿入しつつ、番組に関するコンテンツデータを送出する。この放送処理に応じて番組表配信部４０４は、上記発明において、番組の放送予定を一覧表示した番組表を、通信ネットワーク上に配信する。
【００６２】
そして、メール配信部３１０は、演出情報データに記述された演出のタイミングに応じて、演出内容に基づいた配信情報を含む電子メールを送信する。本実施形態では、スケジューリング部３０４から制御信号をトリガーとして、メール生成部３１１が生成した文字情報や画像情報を電子メールとして、所定の送信先に一斉配信する。なお、本実施形態では、同じタイミング（演出レベル）毎にグループ分けされ、スケジューリング部３０４のトリガーに応じて、グルーピングされた演出レベル毎に一斉配信される。
【００６３】
具体的には、  配信情報選択部３１２は、視聴者情報データベース３２０を参照して、視聴者が希望している演出のレベルや、年齢、性別、住所等の個人情報に基づいて配信すべきメールの文章や、添付する画像データ、及び当該電子メールの配信タイミングを読み出して、各電子メールに設定する。そして、メール生成部３１１において、視聴者情報を配信情報選択部３１２経由で配信情報データベース３２１から呼び出し、各電子メールの配信先として設定する。この配信先は、視聴者情報において配信内容であるメール文書情報や、配信タイミングと関連づけられており、視聴者毎に異なったメールの内容及びタイミングで配信される。
【００６４】
上記電子メールの生成に際し、広告情報選択部３０９は、付加情報生成部３０８によって電子メールに付加されるべき広告情報を選択する。付加情報生成部３０８は、この広告情報選択部３０９が選択した広告情報を電子メールに添付してメール生成部３１１に送出する。そして、メール生成部３１１において、視聴者が設定した演出のレベルに応じた内容の電子メールを生成し、メール配信部３１０は、この生成された電子メールを、演出のレベルに応じたタイミングで配信する。
【００６５】
（３）放送内容変更時処理
また、図４に示すように、先行番組（例えば、野球中継番組）が放送時間を延長するなど、放送内容に変更が生じた場合には、先ず、Ｗｅｂサーバ４ａにおいて、イベント発生応答部４０５が、外部からの連絡に応じ、前記各部４０１〜４０４に対する例外処理の実行を指示する。このイベント発生応答部４０５からの指示に応じて、番組表更新部４０３は、番組表生成部４０２における番組表の作り替えを実行させ、番組表配信部４０４は、更新された番組表を配信する。
【００６６】
この番組表の変更を受け、コンテンツサーバ３ａでは、番組情報取得部３０１が、実際に放送されている放送番組の内容、及びその変化を取得する。本実施形態では、番組情報取得部３０１が、インターネット２５を通じて、番組表を配信しているＷｅｂページを巡回し、Ｗｅｂページに掲載されている番組表から情報を取得する。この番組表の巡回は、時計部３０２からのトリガー信号に応じて定期的に実行される。
【００６７】
次いで、コンテンツサーバ３ａでは、イベント検出部３０３が、放送局３ｂによって放送されている番組のコンテンツデータの内容、又は送出時刻の変更をイベント発生として検出し、このイベント検出部３０３が検出したイベントに応じて、スケジュール変更部３０３ａが、スケジューリング部３０４が設定したタイミングを変更する。具体的には、イベント検出部３０３が、番組情報取得部３０１がインターネット２５上を巡回して収集した各放送局のテレビ番組表を解析し、放送内容を取得するとともに、その放送内容の変更を検出する。この放送内容変更の検出は、前回取得した番組表と、最新の番組表とを比較し、その内容や放送時刻の変化を解析することにより行う。
【００６８】
そして、メール配信部３１０は、これ以降、変更されたスケジューリングのタイミングＴ１′及びＴ２′に、演出内容に基づいた配信情報を含む電子メールを送信する。
【００６９】
（作用・効果）
このような本実施形態の放送番組演出システムによれば、番組の進行に合わせて、その演出の内容及びタイミングに応じた電子メールを配信することにより、番組の演出効果を高めることができる。このとき、例えば、野球中継の延長や、臨時ニュースの割り込みなど放送内容や放送時刻に変動があった場合に、その変動をイベント発生として、予定されていたスケジュールを変更し、演出のためのメール送信を、番組の変動に追従させることができる。
【００７０】
また、本実施形態では、番組の演出のためのタイミングを番組本編のみの進行に合わせて設定することができることから、番組の制作過程において、本編制作の後からＣＭが挿入されるタイミングやその時間長が決定（若しくは変更）されるような場合でも、演出のためのタイミング決定（スケジュール）をやり直す必要がない。
【００７１】
さらに本実施形態では、番組予定が変更されたのを、インターネット等の通信網を通じて配信される番組表から検出することができ、イベント発生を検出するために特別なインフラを構築する必要がなく、本発明を低コストで実施することができる。
【００７２】
また、本実施形態では、例えば、ドラマの展開に合わせて、ドラマの内容に連動した電子メールを配信するような場合に、視聴者が、その電子メールによる先行情報によって先取り的な演出効果を望むのか、詳細すぎる情報によるいわゆる「ネタバレ」を嫌ってメール配信の遅延を望むのか、といったような演出レベルを番組毎に設定することができる。これにより、視聴者の嗜好を反映させた演出効果を期待することができる。
【図面の簡単な説明】
【００７３】
【図１】実施形態に係る放送番組演出システム全体の概略構成を示す説明図である。
【図２】実施形態に係る各サーバ及び放送局における、放送番組演出システムに関する構成を模式的に示すブロック図である。
【図３】実施形態において、各条件の設定から電子メール配信のタイミングをスケジューリングする処理の概要を示す説明図である。
【図４】実施形態において、電子メール配信のスケジューリングを変更する際の、処理の概要を示す説明図である。
【図５】実施形態に係る視聴者情報データベースに蓄積される視聴者情報のデータ構成例を示す説明図である。
【図６】実施形態において演出レベルの違いによるメールの内容及びタイミングの設定例を示す説明図である。
【図７】実施形態において演出レベルの違いによるメールの内容及びタイミングの他の設定例を示す説明図である。
【符号の説明】
【００７４】
Ｓ１，Ｓ２…演出シーン
Ｔ１…タイミング
Ｔ１〜Ｔ２１…配信タイミング
Ｔ２１…タイミング
１…視聴者
３ａ…コンテンツサーバ
３ｂ…放送局
４ａ…Ｗｅｂサーバ
１１…携帯電話機
１２…テレビ受像器
２１…衛星放送
２２…地上波放送
２３…ケーブル放送
２５…インターネット
３０１…番組情報取得部
３０２…時計部
３０３…イベント検出部
３０３ａ…スケジュール変更部
３０４…スケジューリング部
３０５…ＣＭ挿入設定部
３０６…配信タイミング設定部
３０７…本編進行管理部
３０８…付加情報生成部
３０９…広告情報選択部
３１０…メール配信部
３１１…メール生成部
３１２…配信情報選択部
３２０…視聴者情報データベース
３２１…配信情報データベース
３３１…コンテンツ送出部
３３２…コンテンツ管理部
３３３…コンテンツ蓄積部
３３４…ＣＭ挿入部
４０１…番組情報入力部
４０２…番組表生成部
４０３…番組表更新部
４０４…番組表配信部
４０５…イベント発生応答部
【図１】
2010050630.tif 000003
【図２】
2010050630.tif 000004
【図３】
2010050630.tif 000005
【図４】
2010050630.tif 000006
【図５】
2010050630.tif 000007
【図６】
2010050630.tif 000008
【図７】
2010050630.tif 000009